(57)【要約】【課題】一定面積の歯ブラシヘッド部に、より多くの植毛穴を設けられ、より多くの本数の毛を植毛することができる歯ブラシを提供する。【解決手段】毛束６を二つ折りにしてその折り曲げ部を歯ブラシのヘッド部表面に凹設した植毛穴４に挿入し、毛束の折り曲げ部の内側に平線７をわたし、平線７の両端部をヘッド部表面に固定した歯ブラシ１において、植毛穴４を俯瞰したときに、隣り合う二つの植毛穴４の少なくとも一方の植毛穴４の縁が、両植毛穴の重心Ｇを結ぶ線の垂直二等分線Ｌによって画分される植毛穴領域の境界を越えて、隣接する植毛穴領域に入り込んでいるようにした。【選択図】図５
2013252308.tif 000002
【特許請求の範囲】
【請求項１】
毛束を二つ折りにしてその折り曲げ部を歯ブラシのヘッド部表面に凹設した植毛穴に挿入し、前記毛束の折り曲げ部の内側に平線をわたし、前記平線の両端部を前記ヘッド部表面に固定した歯ブラシにおいて、
前記植毛穴を俯瞰したときに、隣り合う二つの植毛穴の少なくとも一方の植毛穴の縁が、両植毛穴の重心を結ぶ線の垂直二等分線によって画分される植毛穴領域の境界を越えて、隣接する植毛穴領域に入り込んでいることを特徴とする歯ブラシ。
【発明の詳細な説明】
【技術分野】
【０００１】
本発明は平線と呼ばれる線材によって毛束を植毛する平線植毛歯ブラシに関する。特に本発明は、植毛穴を俯瞰したときに、植毛穴が互いに入り組むように配置され、より密に毛束を植毛することができる平線植毛歯ブラシに関する。
【０００２】
ここで、一般に「平線」とは横断面形状が扁平な線材を意味するが、歯ブラシの植毛の分野では横断面形状が扁平な線材によって毛束を固定することが一般的であったため、固定用の線材のことを「平線」と呼び、この植毛方式を慣行的に「平線植毛」と呼んでいた。
【０００３】
しかし、本発明において「平線」というときは毛束固定用の線材を指し、線材の横断面形状を限定するものではない。
【背景技術】
【０００４】
一般に歯ブラシの植毛には「融着植毛」と「平線植毛」がある。
【０００５】
融着植毛とは、必要な長さの毛をその基端で歯ブラシのヘッド部に融着させて固定する植毛方式である。
【０００６】
これに対して、平線植毛とは、必要な長さの約２倍の長さの毛を二つ折りにし、折り曲げ部を平線によって固定する植毛方式である。
【０００７】
具体的には、平線植毛は、歯ブラシのヘッド部表面に「植毛穴」と呼ばれる凹部を設け、必要な長さの約２倍の長さの毛を複数本束ねて毛束とし、毛束の中間点で毛束を二つ折りにして前記植毛穴に挿入し、毛束の折り曲げ部分の内側に平線をわたし、前記平線の両端部を植毛穴周縁部に固定するようにする。
【０００８】
図１は従来の平線植毛歯ブラシを上方から見たところを示している。
【０００９】
図１に示すように、平線植毛歯ブラシ１は、ハンドル部２とヘッド部３とを有している。
【００１０】
ヘッド部３の表面には、複数の植毛穴４が凹設されている。
【００１１】
植毛穴４は後に説明するように歯ブラシの毛を埋設する凹部である。植毛穴４は、図１に示すように、刷掃効果があがるように適宜ヘッド部３に配設されている。
【００１２】
図２は平線植毛歯ブラシ１のヘッド部３を上方から見たところを拡大して示している。図３は各植毛穴４の縦断面を示している。
【００１３】
平線の配列が明らかに分かるように図２では毛を省略して示している。
【００１４】
図２と図３に示すように、平線植毛は必要な長さの約２倍の長さの毛５を複数本束ねて毛束６とし、毛束６の中間点で毛束６を二つ折りにして植毛穴４に挿入する。
【００１５】
図３に明らかに示すように、毛束６の折り曲げ部分の内側に平線７をわたし、平線７の両端部を図２に示すように植毛穴４の周縁部の歯ブラシヘッド部の表面に固定するようにする。
【００１６】
図２に示すように、従来の平線植毛の植毛穴４は、隣り合う植毛穴４の間に間隔を有するように配置されている。すなわち、従来の平線植毛の植毛穴４は、穴の開口部近傍に平線の端部の固定部を有するため、穴の開口部近傍まで含めて一つの植毛穴領域と考え、隣接する植毛穴は、互いに他の植毛穴領域に入り込まないようにしていたため、必然的に隣り合う植毛穴４の間に間隔を有するようになっていた。
【先行技術文献】
【特許文献】
【００１７】
【特許文献１】特開２００１−２８６３４１号公報
【特許文献２】特開２００６−１７４９０５号公報
【特許文献３】特開平１１−１１３６３４号公報
【発明の概要】
【発明が解決しようとする課題】
【００１８】
しかし、隣り合う植毛穴４の間に間隔を有すると、植毛の束が区画分離され、全体として見たときに、密に植毛されない欠点があった。
【００１９】
さらに、通常の従来の歯ブラシの平線植毛は、図２に示すように、植毛穴の開口部を均等に２等分するように平線をわたして固定するようにしていた。たとえば矩形形状の植毛穴ならば、植毛穴開口部の矩形の対向する２辺の中間点を通過するように平線をわたし、その平線の両端を植毛穴の開口部近傍のヘッド部表面に固定するようにしていた。また、たとえば円形形状や楕円形状や長円形状の植毛穴ならば、植毛穴開口部の対称線を通過するように平線をわたし、その平線の両端を植毛穴の開口部近傍の表面に固定するようにしていた。
【００２０】
例えば図４に示すように、並列する植毛穴４では、平線７の両端の固定部の位置が整合する場合は、固定部同士が干渉するため、固定部の間にさらに距離ｄ１を設けていた。この場合、隣り合う植毛穴同士の間隔が距離ｄ２に広がることがあった。
【００２１】
植毛穴同士あるいは植毛穴の列同士を離すことは、植毛穴の減少を招き、一定の面積の歯ブラシのヘッド部に植毛できる毛の数を制限することになる。
【００２２】
歯ブラシのヘッド部により多くの毛を植毛できれば、より高い刷掃効果が得られるため、植毛穴同士あるいは植毛穴の列同士を離すことは不利であった。
【００２３】
そこで、本発明が解決しようとする課題は、上記従来の歯ブラシ平線植毛の短所を解決し、平線植毛の方式により、一定面積の歯ブラシヘッド部に、より多くの植毛穴を設けられ、より密により多くの本数の毛を植毛することができる平線植毛歯ブラシを提供することにある。
【課題を解決するための手段】
【００２４】
本発明の歯ブラシは、毛束を二つ折りにしてその折り曲げ部を歯ブラシのヘッド部表面に凹設した植毛穴に挿入し、前記毛束の折り曲げ部の内側に平線をわたし、前記平線の両端部を前記ヘッド部表面に固定した歯ブラシにおいて、前記植毛穴を俯瞰したときに、隣り合う二つの植毛穴の少なくとも一方の植毛穴の縁が、両植毛穴の重心を結ぶ線の垂直二等分線によって画分される植毛穴領域の境界を越えて他の植毛穴領域に入り込んでいることを特徴とする。
【００２５】
また、本発明の歯ブラシは、少なくとも２つの植毛穴が植毛穴列を形成し、複数の前記植毛穴列が平行に配列されているときに、隣り合う植毛穴列の各列の植毛穴の重心を結ぶ線の中間線によって画分される植毛穴列領域の境界を越えて、少なくとも一つの植毛穴の縁が隣接する植毛穴列領域に入り込んでいるようにすることができる。
【００２６】
また、本発明の歯ブラシは、隣り合う二つの植毛穴の縁が平行に延在している穴間壁頂部において、両植毛穴の少なくとも一方の平線の端部が、穴間壁の幅の中間線を越えた他の植毛穴に近い穴間壁頂部に固定されているようにすることができる。
【発明の効果】
【００２７】
本発明による歯ブラシは、植毛穴を俯瞰したときに、隣り合う二つの植毛穴の少なくとも一方の植毛穴の縁が、両植毛穴の重心を結ぶ線の垂直二等分線によって画分される植毛穴領域の境界を越えて他の植毛穴領域に入り込んでいる。
【００２８】
なお、本発明においても植毛穴を区分するための隔壁（穴間壁）が存在する。しかし、従来の植毛穴の配置は、植毛穴の開口部近傍を平線の端部の固定のための領域と考え、隔壁（穴間壁）の幅の半分を含めて一つの植毛穴領域と考えて、植毛穴領域同士は互いに重ならないようにしていた。このため、従来の平線植毛歯ブラシでは、植毛穴を区分するための隔壁によって植毛穴が明確に離開されていた。
【００２９】
これに対して本発明は、植毛穴を区分するための隔壁（穴間壁）が植毛穴の間を複雑にはしるようになり、このため、植毛された毛束が分離したようにならず、密に植毛することができる。
【００３０】
これにより、一定面積の歯ブラシヘッド部に、より多くの植毛穴を設けられ、より密により多くの本数の毛を植毛することができる。
【００３１】
なお、植毛穴を区分するための隔壁（穴間壁）が植毛穴の間を複雑にはしるため、植毛穴を俯瞰したときに、平線の角度が植毛穴の縁をなす直線あるいは曲線の接線に対して直角から所定の角度傾斜することがある。
【００３２】
この場合、並列する植毛穴では、それぞれの植毛穴の平線の固定端部の位置をずらすことができ、並列する植毛穴の距離を開けずに、それぞれの植毛穴の平線を設けることができる。
【００３３】
また、本発明では、少なくとも２つの植毛穴が植毛穴列を形成し、複数の前記植毛穴列が平行に配列されているときに、隣り合う植毛穴列の各列の植毛穴の重心を結ぶ線の中間線によって画分される植毛穴列領域の境界を越えて、少なくとも一つの植毛穴の縁が隣接する植毛穴列領域に入り込むようにすることができる。
【００３４】
本発明によれば、植毛穴列同士の間隔が詰まり、一定面積の歯ブラシヘッド部に、より密により多くの本数の毛を植毛することができる。
【００３５】
さらに、本発明では、隣り合う二つの植毛穴の縁が平行に延在している穴間壁頂部において、両植毛穴の少なくとも一方の平線の端部が、穴間壁の幅の中間線を越えた他の植毛穴に近い穴間壁頂部に固定されているようにすることができる。
【００３６】
すなわち、注目している植毛穴の平線端部が当該植毛穴の開口部近傍ではなく、むしろ隣接する植毛穴の近傍に固定される。
【００３７】
これにより、隣り合う植毛穴の平線の端部固定部も互いに入り組むようになり、一定面積の歯ブラシヘッド部に、より多くの植毛穴を設けられ、より密により多くの本数の毛を植毛することができる。
【図面の簡単な説明】
【００３８】
【図１】従来の平線植毛歯ブラシの平面図。
【図２】従来の平線植毛歯ブラシのヘッド部の拡大平面図。
【図３】平線植毛部の縦断面図。
【図４】従来の平線植毛歯ブラシでは平線の両端固定部が互いに干渉するため植毛穴または植毛穴の列の距離を開けなければならないことを示す説明図。
【図５】本発明の一実施形態による平線植毛歯ブラシの植毛穴の拡大平面図。
【図６】本発明の他の実施形態による平線植毛歯ブラシの植毛穴の拡大平面図。
【図７】本発明の他の実施形態による平線植毛歯ブラシの植毛穴の拡大平面図。
【図８】本発明の他の実施形態による平線植毛歯ブラシの植毛穴の拡大平面図。
【発明を実施するための形態】
【００３９】
以下、添付図面を参照して、本発明の実施形態を説明する。
【００４０】
図５は本発明の平線植毛歯ブラシの一実施形態による植毛穴と平線の配置を示した拡大平面図である。なお、以下の図面で理解容易のために図１−４と同一部位または部材については同一の符号を付して重複する説明を省略する。
【００４１】
図５において、二つの隣接する植毛穴４が示され、一つの植毛穴４ａは俯瞰したときにほぼ三日月形であり、他の植毛穴４ｂは長円形である。
【００４２】
植毛穴４ａと植毛穴４ｂの形状はあくまでも例示であり、任意の形状の異形穴とすることができる。
【００４３】
植毛穴４ａの形状により、植毛穴４ａの重心Ｇａが図に示すように定められる。ここで、重心は、図形の微小面積にその点までの距離を乗じたモーメントが均衡してゼロになる点であり、幾何学的に定めることができる。
【００４４】
同様に、植毛穴４ｂの形状により、植毛穴４ｂの重心Ｇｂが図に示すように定められる。
【００４５】
これにより、重心Ｇａ，Ｇｂを結ぶ線の垂直二等分線Ｌが図に示すように定められる。
【００４６】
この垂直二等分線Ｌはその左側に植毛穴４ｂの植毛穴領域を画成し、その右側に植毛穴４ａの植毛穴領域を画成する。
【００４７】
本実施形態では、植毛穴４ｂの縁の一部が、植毛穴領域の境界である垂直二等分線Ｌを越えて、隣接する植毛穴４ａの領域に入り込んでいる。
【００４８】
植毛穴４ａ，４ｂの間の隔壁１０は、二つの植毛穴４ａ，４ｂの間を湾曲して延在している。
【００４９】
この実施形態によれば、隣り合う植毛穴４ａ，４ｂの少なくとも一方が、他の植毛穴領域内に入り込み、植毛穴同士が互い入り組むように配置される。植毛穴の形状が複雑な異形穴になればなるほど、植毛穴が互いに複雑に入り組むように配置される。
【００５０】
これにより、一定面積の歯ブラシヘッド部に、より多くの植毛穴を設けられ、より密により多くの本数の毛を植毛することができる。
【００５１】
植毛穴に植毛された後は、隔壁１０が毛の間に入り込み、外観上毛束６が分離された感じを与えず、大きなブロックの毛束を植毛することができる。これにより、従来どうしても毛束が分離した外観を与えてしまい、大きなブロックの毛束の植毛が困難であった平線植毛の欠点を克服することができる。
【００５２】
図６は、植毛穴の列を互いに入り込むように設けた実施形態を示している。
【００５３】
図６において、植毛穴４ｃ，４ｄは底辺を同一線上に配列し、頂点を図６の右側に向けた植毛穴の列をなしている。一方、植毛穴４ｅは、図示を省略した他の植毛穴とともに、頂点を図６の左側に向けた植毛穴の列をなしている。
【００５４】
植毛穴４ｃ，４ｄの植毛穴列と植毛穴４ｅの植毛穴列は互いに平行に配置されている。
【００５５】
植毛穴４ｃ，４ｄの植毛穴列の各植毛穴の重心Ｇを結ぶ線と、植毛穴４ｅの植毛穴列の各植毛穴の重心Ｇを結ぶ線は平行に延在し、その中間点を結んだ線Ｌが確定される。
【００５６】
この中間線Ｌは、その左側に４ｃ，４ｄの植毛穴列領域を画成し、その右側に植毛穴４ｅの植毛穴領域を画成する。
【００５７】
本実施形態によれば、少なくとも一つの植毛穴の縁が隣接する植毛穴列領域に入り込んでいる。
【００５８】
すなわち、本実施形態によれば、植毛穴列同士の間隔が詰まり、一定面積の歯ブラシヘッド部に、より密により多くの本数の毛を植毛することができる。
【００５９】
植毛穴に植毛された後は、隔壁１０が毛の間に入り込み、外観上毛束が分離された感じを与えず、きわめて全体的に密に植毛された歯ブラシヘッドを得ることができる。
【００６０】
また、図６に示すように、本実施形態によれば、植毛穴を俯瞰したときに、平線７の角度が植毛穴４ｃ，４ｄ，４ｅの縁をなす直線対して直角から所定の角度傾斜している。
【００６１】
このようにすることにより、並列する植毛穴の列において、それぞれの植毛穴の平線の固定端部の位置をずらすことができ、並列する植毛穴の距離を開けずに、植毛穴の距離を詰めることができる。
【００６２】
本発明は、植毛穴を任意の形状の異形穴にすることができ、これらを互いに入り組むように配置することができる。
【００６３】
異形穴は、形状は異なるが面積を同一にすることができる。すなわち、同一の歯ブラシヘッド上に、複数の異なる形状の異形穴を配置し、それらの異形穴の面積を同一にすることができる。植毛穴の面積を同一にすることにより、同一長さの平線を使用することができるようになり、部品点数が少なく、製造容易な平線植毛歯ブラシを得ることができる。
【００６４】
図７は、本発明の他の実施形態を示している。
【００６５】
本実施形態では、平線７は植毛穴４の縁をなす辺、すなわち植毛穴４の矩形の一辺に対して直角から所定の角度α１傾斜し、端部が穴間壁１０の頂部に固定されている。
【００６６】
穴間壁１０は、隣り合う二つの植毛穴の縁に平行にその間に延在している。
【００６７】
穴間壁１０の頂部において、少なくとも一方の植毛穴４の平線７の端部が、穴間壁１０の幅の中間線Ｌを越えた他の植毛穴４に近い穴間壁頂部に固定されている。
【００６８】
つまり、平線端部が隣接する植毛穴の近傍に固定され、隣り合う植毛穴の平線７の端部固定部も互いに入り組むようになっている。
【００６９】
これにより、平線端部同士の干渉がなく、植毛穴間の距離を詰められ、一定面積の歯ブラシヘッド部に、より多くの植毛穴を設けることができる。
【００７０】
さらに、図７に示すように、本実施形態によれば平線７が植毛穴４の縁に対して直角から所定の角度α１傾斜しているため、植毛穴４が列をなして位置整合しているときでも、平線の端部固定部の位置をずらすことができ、平線端部同士の干渉を防止することができる。
【００７１】
なお、隣り合う二つの植毛穴の縁が微小距離平行に延在している穴間壁１０の場合も同様である。
【００７２】
図８は、隣り合う二つの植毛穴が楕円であり、楕円の縁が微小距離だけ平行に延在している穴間壁１１の場合の平線７を示している。
【００７３】
図８に示すように、本実施形態の植毛穴４は楕円形の形状を有し、長軸の端部を突き合わせるように配置されている。
【００７４】
楕円形の長軸端部において、隣り合う二つの植毛穴の縁は微小距離平行に延在しており、穴間壁１１幅が画定される。植毛穴４の少なくとも一方の平線７の端部は穴間壁１１の幅の中間線Ｌを越えた他の植毛穴に近い穴間壁頂部に固定されている。
【００７５】
本実施形態においても、隣り合う植毛穴の平線７の端部固定部が互いに入り組むようになっており、植毛穴４の距離を詰めることができる。
【００７６】
さらに、平線７は植毛穴４の縁をなす楕円の接線８に対して、直角から所定の角度α２をなして傾斜している。
【００７７】
このように平線７が傾斜しているため、図８に示すように、隣り合う植毛穴４の間の歯ブラシのヘッド部の表面において、平線７の固定端部の位置は互いにずれ、平線７の固定端部の干渉を避けるための距離をとる必要がなく、植毛穴４同士を極限まで近づけることができる。
【００７８】
これによって、一定面積の歯ブラシヘッド部により多くの植毛穴４を設けられ、より多い本数の毛５を植毛することができる。
【符号の説明】
【００７９】
１  平線植毛歯ブラシ
２  ハンドル部
３  ヘッド部
４  植毛穴
４ａ  植毛穴
４ｂ  植毛穴
５  毛
６  毛束
７  平線
８  接線
１０  穴間壁
１１  穴間壁
Ｌ  重心を結ぶ線の垂直二等分線
【図１】
2013252308.tif 000003
【図２】
2013252308.tif 000004
【図３】
2013252308.tif 000005
【図４】
2013252308.tif 000006
【図５】
2013252308.tif 000007
【図６】
2013252308.tif 000008
【図７】
2013252308.tif 000009
【図８】
2013252308.tif 000010